(57)【特許請求の範囲】
【請求項１】
結露によって物理的損傷を生じる虞がある機器が設置された室を制御対象室とし、この制御対象室への空調機からの給気温度および給気風量を制御する空調制御方法であって、
前記制御対象室の露点温度を測定するステップと、
前記測定された露点温度に基づいて前記制御対象室において結露が発生する虞のない前記給気温度の下限値を算出するステップと、
前記機器を収容したラックへの空気の流入側の温度を現在温度として測定するステップと、
前記測定される現在温度に対する要求温度を記憶しておくステップと、
前記算出された給気温度の下限値と前記測定された現在温度と前記記憶されている要求温度とに基づいて前記給気温度の設定値を決定するステップと、
前記算出された給気温度の下限値と前記測定された現在温度と前記記憶されている要求温度とに基づいて前記給気風量の設定値を決定するステップと
を備えることを特徴とする空調制御方法。
【請求項２】
請求項１に記載された空調制御方法において、
前記空調機の能力によって制約される給気温度の下限値を機器制約給気温度下限値とし、この機器制約給気温度下限値と前記算出された給気温度の下限値とを比較し、高い方の値を給気温度の下限値として決定するステップを備え、
前記給気温度の設定値を決定するステップは、
前記決定された給気温度の下限値と前記測定された現在温度と前記記憶されている要求温度とに基づいて前記給気温度の設定値を決定する
ことを特徴とする空調制御方法。
【請求項３】
請求項１又は２に記載された空調制御方法において、
前記制御対象室の露点温度を測定するステップに代えて、前記制御対象室からの排気の露点温度、前記制御対象室へ外気を処理して供給する外調機からの給気の露点温度、外気の露点温度のうち、何れかの露点温度を測定するステップ
を備えることを特徴とする空調制御方法。
【請求項４】
結露によって物理的損傷を生じる虞がある機器が設置された室を制御対象室とし、この制御対象室への空調機からの給気温度および給気風量を制御する空調制御装置であって、
前記制御対象室の露点温度を測定する露点温度測定手段と、
前記測定された露点温度に基づいて前記制御対象室において結露が発生する虞のない前記給気温度の下限値を算出する給気温度下限値算出手段と、
前記機器を収容したラックへの空気の流入側の温度を現在温度として測定する現在温度測定手段と、
前記測定される現在温度に対する要求温度を記憶しておく記憶手段と、
前記算出された給気温度の下限値と前記測定された現在温度と前記記憶されている要求温度とに基づいて前記給気温度の設定値を決定する給気温度設定値決定手段と、
前記算出された給気温度の下限値と前記測定された現在温度と前記記憶されている要求温度とに基づいて前記給気風量の設定値を決定する給気風量設定値決定手段と
を備えることを特徴とする空調制御装置。
【請求項５】
請求項４に記載された空調制御装置において、
前記空調機の能力によって制約される給気温度の下限値を機器制約給気温度下限値とし、この機器制約給気温度下限値と前記算出された給気温度の下限値とを比較し、高い方の値を給気温度の下限値として決定する給気温度下限値決定手段を備え、
前記給気温度設定値決定手段は、
前記決定された給気温度の下限値と前記測定された現在温度と前記記憶されている要求温度とに基づいて前記給気温度の設定値を決定する
ことを特徴とする空調制御装置。
【請求項６】
請求項４又は５に記載された空調制御装置において、
前記制御対象室の露点温度を測定する露点温度測定手段に代えて、前記制御対象室からの排気の露点温度、前記制御対象室へ外気を処理して供給する外調機からの給気の露点温度、外気の露点温度のうち、何れかの露点温度を測定する露点温度測定手段
を備えることを特徴とする空調制御装置。
【発明の詳細な説明】
【技術分野】
【０００１】
この発明は、結露によって物理的損傷を生じる虞がある機器が設置された室を制御対象室とし、この制御対象室への空調機からの給気温度および給気風量を制御する空調制御方法および装置に関するものである。
【背景技術】
【０００２】
従来より、サーバなどの電子機器が設置されたデータセンタでは、データセンタ内における機器の排熱を空調機からの給気によって処理するようにしている（例えば、特許文献１，２参照）。
【０００３】
図１０にその概略を示す。同図において、１はデータセンタ（制御対象室）、２はデータセンタ１内に設けられた空調機（冷却装置）、３はデータセンタ１内に設置されたサーバなどの電子機器を収容したラック、４は空調機２に対して設けられた空調制御装置、５は外気の温度および湿度を調整してデータセンタ１内へ供給する外調機、６はデータセンタ１内からの排気の排出を行う排気ファン、７は空調機２からのデータセンタ１内への給気の温度を検出する給気温度センサ、８は空調機２への冷媒の循環量を調節する冷媒循環量調節装置である。
【０００４】
なお、冷媒循環量調節装置８としては、コンプレッサ（ＣＯＭＰ）、膨張弁、ホットガスバイパス弁など種々の操作対象があるが、この例ではその一例として冷媒循環量調節装置８としてコンプレッサ（ＣＯＭＰ）を用いた例を示している。以下、冷媒循環量調節装置８をＣＯＭＰ８と呼ぶ。
【０００５】
このシステムにおいて、空調機２は冷却コイル２−１とファン２−２とを備え、ラック３にはファン３−１が内蔵されている。ＣＯＭＰ８は冷却コイル２−１への冷媒の循環通路に設けられている。また、空調機２において、ファン２−２の風量（給気風量）は１００％固定とされている。空調制御装置４は、給気温度センサ７からのデータセンタ１内への給気温度の測定値ｔｓpvを入力とし、この給気温度の測定値ｔｓpvと予め定められている給気温度の設定値ｔｓspとが一致するように、ＣＯＭＰ８へのインバータ出力（ＣＯＭＰＩＮＶ）を調整する。すなわち、給気温度の測定値ｔｓpvと給気温度の設定値ｔｓspとが一致するように、ＣＯＭＰ８へのインバータ出力の％値を調整することによって、冷却コイル２−１への冷媒の供給量を制御する。
【０００６】
このようにして、データセンタ１では、空調機２からの給気風量を１００％固定として、また給気温度を一定として、ラック３に収容されているサーバなどの電子機器の排熱を空調機２からの給気によって処理するようにしている。
【０００７】
データセンタ１において、空調機２からの給気の温度が低すぎると、結露が生じ、データセンタ１内の電子機器に物理的損傷を与えてしまう虞がある。このため、このシステムでは、外調機５によって外気を除湿してデータセンタ１へ取り入れる一方、データセンタ１内で結露が生じない余裕をもった給気温度の設定値ｔｓspを事前に決め、この給気温度の設定値ｔｓspを固定値として、空調機２からの給気温度の一定制御を行うようにしている。なお、この給気温度の一定制御に類似した技術として、特許文献１では、ラックの側面に冷却パネルを設け、このパネル表面が結露しないように、冷却パネルに供給する熱媒の温度を制御するようにしている。
【先行技術文献】
【特許文献】
【０００８】
【特許文献１】特開２００３−３５４４１号公報
【特許文献２】特開２００９−１４０４２１号公報
【発明の概要】
【発明が解決しようとする課題】
【０００９】
しかしながら、図１０に示したシステムでは、給気温度の設定値ｔｓspを余裕をもって高めに設定し、この高めに設定した給気温度の設定値ｔｓspを固定として給気温度の一定制御を行うようにしているため、また、空調機２からの給気風量を１００％固定としているため、消費されるエネルギーのロスが大きいという問題があった。
【００１０】
本発明は、このような課題を解決するためになされたもので、その目的とするところは、給気温度を下げて、その分、給気風量を削減して、省エネルギーを図ることができる空調制御方法および装置を提供することにある。
【課題を解決するための手段】
【００１１】
このような目的を達成するために、本発明に係る空調制御方法は、制御対象室の露点温度を測定するステップと、測定された露点温度に基づいて制御対象室において結露が発生する虞のない給気温度の下限値を算出するステップと、機器を収容したラックへの空気の流入側の温度を現在温度として測定するステップと、測定される現在温度に対する要求温度を記憶しておくステップと、算出された給気温度の下限値と測定された現在温度と記憶されている要求温度とに基づいて給気温度の設定値を決定するステップと、算出された給気温度の下限値と測定された現在温度と記憶されている要求温度とに基づいて給気風量の設定値を決定するステップとを備えることを特徴とする。
【００１２】
この発明では、制御対象室の露点温度を測定し、この露点温度の測定値（ｔｒpv）に基づいて制御対象室において結露が発生する虞のない給気温度の下限値（ｔｓmin1）を算出する。例えば、余裕分をαとし、ｔｓmin1＝ｔｒpv＋αとして給気温度の下限値ｔｓmin1を算出する。
【００１３】
そして、機器を収容したラックへの空気の流入側の温度（ラックの入口側の温度）を現在温度（ｔpv）として測定し、算出した給気温度の下限値ｔｓmin1と測定した現在温度ｔpvと記憶されている要求温度ｔspとに基づいて給気温度の設定値ｔｓspを決定する。また、算出した給気温度の下限値ｔｓmin1と測定した現在温度ｔpvと記憶されている要求温度ｔspとに基づいて給気風量の設定値Ｑｓspを決定する。
【００１５】
本発明において、制御対象室の露点温度を測定するステップに代えて、制御対象室からの排気の露点温度、外調機からの給気の露点温度を測定するステップを設けるようにしてもよい。すなわち、本発明では、制御対象室からの排気の露点温度に基づいて給気温度の下限値を算出するようにしてもよく、外調機からの給気の露点温度に基づいて給気温度の下限値を算出するようにしてもよい。また、本発明において、外調機は必ずしも設けなくてもよく、外調機を設けない場合、外気の露点温度に基づいて給気温度の下限値を算出するようにすることも考えられる。また、本発明は、上述した空調制御方法を適用した空調制御装置としても構成することが可能である。
【発明の効果】
【００１６】
本発明によれば、制御対象室の露点温度（或いは、排気の露点温度、外調機からの給気の露点温度、外気の露点温度）を測定し、この測定した露点温度に基づいて制御対象室において結露が発生する虞のない給気温度の下限値を算出し、この算出した給気温度の下限値と測定された現在温度と記憶されている要求温度とに基づいて給気温度の設定値および給気風量の設定値を決定するようにしたので、給気温度を下げて、その分、給気風量を削減して、省エネルギーを図ることができるようになる。
【図面の簡単な説明】
【００１７】
【図１】本発明に係る空調制御方法を適用した空調制御システムの説明に入る前の参考例（参考例１）の概略を示す図である。
【図２】参考例１の空調制御システムにおける空調制御装置の要部を示す機能ブロック図である。
【図３】本発明に係る空調制御方法を適用した空調制御システムの実施の形態（実施の形態１）の概略を示す図である。
【図４】実施の形態１の空調制御システムにおける空調制御装置の要部を示す機能ブロック図である。
【図５】実施の形態１の空調制御システムで用いる給気温度の設定特性Ｉおよび給気風量の設定特性IIを例示する図である。
【図６】給気温度の下限値が高い場合と低い場合とで異なる給気温度の設定特性Ｉおよび給気風量の設定特性IIを対比して示す図である。
【図７】露点温度センサをデータセンタ内からの排気の排出通路に設けた例を示す図である。
【図８】露点温度センサをデータセンタ内への外調機からの給気の供給通路に設けた例を示す図である。
【図９】外調機を設けない場合に露点温度センサをデータセンタ内への外気の供給通路に設けた例を示す図である。
【図１０】従来の空調制御システムの概略を示す図である。
【発明を実施するための形態】
【００１８】
以下、本発明の実施の形態を図面に基づいて詳細に説明する。
【００１９】
〔参考例１〕
図１は本発明に係る空調制御方法を適用した空調制御システムの説明に入る前の参考例（参考例１）の概略を示す図である。同図において、図１０と同一符号は図１０を参照して説明した構成要素と同一或いは同等構成要素を示し、その説明は省略する。
【００２０】
この参考例１において、図１０に示した従来のシステムと異なる点は、空調制御装置４が有する機能にある。この参考例１では、空調制御装置４を４Ａとし、従来のシステムにおける空調制御装置と区別する。
【００２１】
また、この参考例１において、データセンタ１には、データセンタ１内の露点温度を測定する露点温度センサ９が設けられており、この露点温度センサ９からの露点温度の測定値ｔｒpvを空調制御装置４Ａに送るものとしている。
【００２２】
また、この参考例１において、空調機２のファン２−２には、その回転数を可変とするインバータＩＮＶが付設されており、空調制御装置４ＡからのインバータＩＮＶへのインバータ出力（ファンＩＮＶ）の％値を調整することによって、ファン２−２の風量（給気風量）を制御するものとしている。
【００２３】
空調制御装置４Ａは、プロセッサや記憶装置からなるハードウェアと、これらのハードウェアと協働して各種機能を実現させるプログラムとによって実現され、参考例１特有の機能として空調機２からのデータセンタ１内への給気温度および給気風量の設定値の決定機能を有している。
【００２４】
図２に空調制御装置４Ａの要部の機能ブロック図を示す。以下、この機能ブロック図における各部の機能を交えながら、空調制御装置４Ａが有する給気温度および給気風量の設定値の決定機能について説明する。
【００２５】
空調制御装置４Ａは、給気温度下限値算出部４０１と、機器制約給気温度下限値記憶部４０２と、給気温度設定値決定部４０３と、給気風量設定値決定部４０４と、ＣＯＭＰＩＮＶ出力部４０５と、ファンＩＮＶ出力部４０６とを備えている。
【００２６】
なお、この例では、空調制御装置４ＡにＣＯＭＰＩＮＶ出力部４０５とファンＩＮＶ出力部４０６を設けた構成としているが、実際のシステムでは空調機２に対して専用のコントローラ（図示せず）が設けられている場合が多く、このような専用のコントローラが空調機２に対して設けられている場合には、その専用のコントローラがＣＯＭＰＩＮＶ出力部４０５やファンＩＮＶ出力部４０６を有する構成とされる。この場合、空調制御装置４Ａからは、ＣＯＭＰＩＮＶ出力部４０５およびファンＩＮＶ出力部４０６が除かれ、給気温度設定値決定部４０３や給気風量設定値決定部４０４で決定された設定値が専用のコントローラへ送信されることになる。
【００２７】
給気温度下限値算出部４０１は、露点温度センサ９からのデータセンタ１内の露点温度（室内の露点温度）の測定値ｔｒpvを入力とし、この露点温度の測定値ｔｒpvに予め定められている余裕分αを加算して、データセンタ１内で結露が発生する虞のない給気温度の下限値ｔｓmin1（ｔｓmin1＝ｔｒpv＋α）を算出する。すなわち、空調機２からの給気によってデータセンタ１内で除湿（コイル２−１での除湿も含む）が発生する虞のない給気温度の下限値ｔｓmin1を算出する。なお、余裕分αは、室内のＣＯ2濃度から人がどの程度いるかを判断し（室内発生水分量を推定し）、可変とするようにしてもよい。また、ＣＯ2濃度だけではなく、セキュリティシステムなどの情報から、どの程度人がいるかを把握するようにしてもよい。
【００２８】
給気温度設定値決定部４０３は、給気温度下限値算出部４０１によって算出された給気温度の下限値ｔｓmin1を入力とし、この給気温度の下限値ｔｓmin1と機器制約給気温度下限値記憶部４０２に記憶されている機器制約給気温度下限値ｔｓmin2とを比較し、高い方の給気温度の下限値を給気温度の設定値ｔｓspとする。ここで、機器制約給気温度下限値ｔｓmin2とは、空調機２の能力によって制約される給気温度の下限値であり、カタログ等に記載されている給気温度範囲の下限値のことを指す。
【００２９】
給気風量設定値決定部４０４は、給気温度設定値決定部４０３によって決定された給気温度の設定値ｔｓspを入力とし、Ｑｓsp（ＣＭＨ）＝定格能力（ｋＷ）×３６００／｛（想定吸込み温度−ｔｓsp）×比重量（ｋｇ／ｍ3））｝として給気風量の設定値Ｑｓspを決定する。なお、この給気風量の設定値Ｑｓspの算出式において、「想定吸込み温度」とは、空調機２の定格運転時に想定されている吸込み温度のことで、カタログ等に記載されている定格時吸込み温度のことの指す。また、「定格能力」とは空調機２の定格冷却能力である。
【００３０】
ＣＯＭＰＩＮＶ出力部４０５は、給気温度センサ７からのデータセンタ１内への給気温度の測定値ｔspvと給気温度設定値決定部４０３によって決定された給気温度の設定値ｔｓspとを入力とし、給気温度の測定値ｔspvと給気温度の設定値ｔｓspとが一致するように、ＣＯＭＰ８へのインバータ出力（ＣＯＭＰＩＮＶ）を調整する。
【００３１】
ファンＩＮＶ出力部４０６は、給気風量設定値決定部４０４によって決定された給気風量の設定値Ｑｓspを入力とし、ファン２−２からの給気風量ＱｓをＱｓspとするように、インバータＩＮＶへのインバータ出力（ファンＩＮＶ）を調整する。
【００３２】
このようにして、参考例１では、露点温度センサ９によって測定されるデータセンタ１内の露点温度ｔｒpvより、可能な限り低い値として、データセンタ１内で結露が発生する虞のない給気温度の設定値ｔｓspが決定されるものとなり、またその給気温度の設定値ｔｓspに適した給気風量の設定値Ｑｓspが決定されるようになり、給気温度を下げて、その分、給気風量を削減して、省エネルギーを図ることができるようになる。
【００３３】
なお、参考例１において、給気風量の設定値Ｑｓspを算出する際、この算出される給気風量の設定値Ｑｓspに少し安全を見込んだ値を足しこむようにしてもよい。ラック３に収容されている電子機器の負荷によっては、データセンタ１内が暑くなりすぎるという虞があるが、給気風量の設定値Ｑｓspに少し安全を見込んだ値を足しこむようにすることにより、データセンタ１内が暑くなりすぎるという問題を改善することが可能となる。
【００３４】
〔実施の形態１〕
図３は本発明に係る空調制御方法を適用した空調制御システムの実施の形態（実施の形態１）の概略を示す図である。この実施の形態１において、データセンタ１には、データセンタ１内の露点温度を測定する露点温度センサ９に加え、ラック３の入口側の温度（ラック３への空気の流入側の温度）を現在温度として測定する温度センサ１０が設けられており、露点温度センサ９からの露点温度の測定値ｔｒpvおよび温度センサ１０からの現在温度の測定値ｔpvを空調制御装置４（４Ｂ）へ送るようにしている。
【００３５】
また、この実施の形態１においても、参考例１と同様、空調機２のファン２−２には、その回転数を可変とするインバータＩＮＶが付設されており、空調制御装置４ＢからのインバータＩＮＶへのインバータ出力（ファンＩＮＶ）の％値を調整することによって、ファン２−２の風量（給気風量）を制御するようにしている。
【００３６】
図４に空調制御装置４Ｂの要部の機能ブロック図を示す。以下、この機能ブロック図における各部の機能を交えながら、空調制御装置４Ｂが有する給気温度および給気風量の設定値の決定機能について説明する。
【００３７】
空調制御装置４Ｂは、給気温度下限値算出部４１１と、機器制約給気温度下限値記憶部４１２と、給気温度下限値決定部４１３と、要求温度記憶部４１４と、給気温度設定値決定部４１５と、給気風量設定値決定部４１６と、ＣＯＭＰＩＮＶ出力部４１７と、ファンＩＮＶ出力部４１８とを備えている。なお、要求温度記憶部４１４には、温度センサ１０が測定する現在温度ｔpvに対する要求値が要求温度ｔspとして記憶されている。
【００３８】
給気温度下限値算出部４１１は、参考例１における給気温度下限値算出部４０１と同様にして、露点温度センサ９からのデータセンタ１内の露点温度（室内の露点温度）の測定値ｔｒpvを入力とし、この露点温度の測定値ｔｒpvに予め定められている余裕分αを加算して、データセンタ１内で結露が発生する虞のない給気温度の下限値ｔｓmin1（ｔｓmin1＝ｔｒpv＋α）を算出する。
【００３９】
給気温度下限値決定部４１３は、給気温度下限値算出部４１１によって算出された給気温度の下限値ｔｓmin1を入力とし、この給気温度の下限値ｔｓmin1と機器制約給気温度下限値記憶部４１２に記憶されている機器制約給気温度下限値ｔｓmin2とを比較し、高い方の給気温度の下限値を給気温度の下限値ｔｓminとする。
【００４０】
給気温度設定値決定部４１５は、給気温度下限値決定部４１３によって決定された給気温度の下限値ｔｓminと温度センサ１０からの現在温度ｔpvと要求温度記憶部４１４に記憶されている要求温度ｔspとを入力とし、図５に示す給気温度の設定特性Ｉに従って給気温度の設定値ｔｓspを決定する。
【００４１】
すなわち、給気温度の下限値ｔｓminを制御パラメータとして利用し、現在温度ｔpvがｔｘよりも高い範囲では、給気温度の設定値ｔｓspを給気温度の下限値ｔｓminとして固定する一方、現在温度ｔpvがｔｘよりも低い範囲では、要求温度ｔspとの差が広がるにつれ、給気温度の設定値ｔｓspを上げて行く。
【００４２】
このような給気温度の設定特性Ｉとすることにより、データセンタ１内での負荷が減って、現在温度ｔpvがｔｘよりも低くなると、給気温度の設定値ｔｓspがアップされ、空調機２の能力が下げられる。これにより、データセンタ１内での過冷却が防がれ、省エネルギーとなる。
【００４３】
給気風量設定値決定部４１６は、給気温度下限値決定部４１３によって決定された給気温度の下限値ｔｓminと温度センサ１０からの現在温度ｔpvと要求温度記憶部４１４に記憶されている要求温度ｔspとを入力とし、図５に示す給気風量の設定特性IIに従って給気風量の設定値Ｑｓspを決定する。
【００４４】
すなわち、給気温度の下限値ｔｓminを制御パラメータとして利用し、給気温度の設定値ｔｓspがｔｓminに固定される前は、予め定められた下限値に給気風量の設定値Ｑｓspを固定する一方、給気温度の設定値ｔｓspがｔｓminに固定された後は、要求温度ｔspとの差が広がるにつれ、給気風量の設定値Ｑｓspを上げて行く。
【００４５】
このような給気風量の設定特性IIとすることにより、データセンタ１内での負荷が小さい場合には、給気風量の設定値Ｑｓspが下限値に固定されて省エネルギーが図られる一方、データセンタ１内での負荷が増え、現在温度ｔpvがｔｘよりも高くなると、給気風量の設定値Ｑｓspが上げられて行き、データセンタ１内が暑くなることが防がれる。
【００４６】
ＣＯＭＰＩＮＶ出力部４１７は、給気温度センサ７からのデータセンタ１内への給気温度の測定値ｔspvと給気温度設定値決定部４１５によって決定された給気温度の設定値ｔｓspとを入力とし、給気温度の測定値ｔspvと給気温度の設定値ｔｓspとが一致するように、ＣＯＭＰ８へのインバータ出力（ＣＯＭＰＩＮＶ）を調整する。
【００４７】
ファンＩＮＶ出力部４０６は、給気風量設定値決定部４１６によって決定された給気風量の設定値Ｑｓspを入力とし、ファン２−２からの給気風量ＱｓをＱｓspとするように、インバータＩＮＶへのインバータ出力（ファンＩＮＶ）を調整する。
【００４８】
図６に給気温度の下限値ｔｓminを制御パラメータとして変化する給気温度の設定特性Ｉおよび給気風量の設定特性IIを示す。特性ＩHおよびIIHは給気温度の下限値ｔｓminが高い場合の給気温度の設定特性および給気風量の設定特性を示し、特性ＩLおよびIILは給気温度の下限値ｔｓminが低い場合の給気温度の設定特性および給気風量の設定特性を示す。このような設定特性の変化からも、給気温度の下限値ｔｓminを低くすれば、同程度の冷房要求でも、給気風量（ファンＩＮＶの出力）を抑えることができることが分かる。
【００４９】
なお、上述した例では、データセンタ１内に露点温度センサ９を設け、室内の露点温度を測定するようにしたが、データセンタ１内からの排気ファン６による排気の露点温度を測定するようにしてもよく、データセンタ１内への外調機５からの給気の露点温度を測定するようにしてもよい。
【００５０】
すなわち、参考例１を例とした場合、図７に示すように、データセンタ１内からの排気ファン６による排気の排出通路に露点温度センサ９を設け、この露点温度センサ９からの露点温度の測定値ｔｒpvより給気温度の下限値ｔｓmin1を算出するようにしてもよく、図８に示すように、データセンタ１内への外調機５からの給気の供給通路に露点温度センサ９を設け、この露点温度センサ９からの露点温度の測定値ｔｒpvより給気温度の下限値ｔｓmin1を算出するようにしてもよい。
【００５１】
また、上述した例では、外調機５を設けるようにしたが、外調機５は必ずしも設けなくてもよい。外調機５を設けない場合、例えば参考例１において、図９に示すように、データセンタ１内への外気の供給通路に露点温度センサ９を設け、この露点温度センサ９からの露点温度の測定値ｔｒpvより給気温度の下限値ｔｓmin1を算出するようにすることも考えられる。
【００５２】
また、上述した例では、露点温度センサ９を設けて露点温度を測定するようにしたが、温度と湿度を測定するようにし、この測定した温度と湿度から露点温度を算出するようにしてもよい。本発明において、露点温度を測定するという概念には、測定した温度と湿度から露点温度を算出することも含まれる。
【００５３】
また、上述した例では、冷媒循環量調節装置８をコンプレッサ（ＣＯＭＰ）としているが、前述したとおり、膨張弁、ホットガスバイパス弁など種々の操作対象が冷媒循環量調節装置８として考えられることは言うまでもない。
【産業上の利用可能性】
【００５４】
本発明の空調制御方法および装置は、結露によって物理的損傷を生じる虞がある機器が設置された室を制御対象室への空調機からの給気温度および給気風量を制御する空調制御方法および装置として、サーバなどの電子機器を設置したデータセンタなど様々な室を制御対象室として適用することが可能である。
【符号の説明】
【００５５】
１…データセンタ、２…空調機（冷却装置）、２−１…冷却コイル、２−２…ファン、ＩＮＶ…インバータ、３…ラック、３−１…ファン（内蔵ファン）、４（４Ａ，４Ｂ）…空調制御装置、５…外調機、６…排気ファン、７…給気温度センサ、８…冷媒循環量調節装置（ＣＯＭＰ）、９…露点温度センサ、１０…温度センサ、４０１…給気温度下限値算出部、４０２…機器制約給気温度下限値記憶部、４０３…給気温度設定値決定部、４０４…給気風量設定値決定部、４０５…ＣＯＭＰＩＮＶ出力部、４０６…ファンＩＮＶ出力部、４１１…給気温度下限値算出部、４１２…機器制約給気温度下限値記憶部、４１３…給気温度下限値決定部、４１４…要求温度記憶部、４１５…給気温度設定値決定部、４１６…給気風量設定値決定部、４１７…ＣＯＭＰＩＮＶ出力部、４１８…ファンＩＮＶ出力部。
【図１】
0005478286.tif 000002
【図２】
0005478286.tif 000003
【図３】
0005478286.tif 000004
【図４】
0005478286.tif 000005
【図５】
0005478286.tif 000006
【図６】
0005478286.tif 000007
【図７】
0005478286.tif 000008
【図８】
0005478286.tif 000009
【図９】
0005478286.tif 000010
【図１０】
0005478286.tif 000011